(57)【要約】【課題】ＣＭＹＫ各版用の閾値マトリクスを、ＣＭＹＫＲＧＢ各版用の閾値マトリクスに割り当てて、閾値マトリクスの作成作業負荷を低減し、かつＣＭＹＫ４版の閾値マトリクスを取り扱うＲＩＰシステム等で、ＣＭＹＫＲＧＢ７版分の閾値マトリクスをハンドリングできるようにする。【解決手段】色が混合されると灰色になってしまう補色関係にある色版について同じ閾値配列の閾値マトリクスを用いても、色が混合されることがきわめて希であるので、スクリーンの位置ずれがあってもドットの重なりが少ないことを原因とする色再現の安定性の低下やむらが発生することがないということを考慮し、Ｃ色の補色のＲ色に対しては、Ｃ版用閾値マトリクスＴＭＸｃを割り当て、Ｍ色の補色のＧ色に対しては、Ｍ版用閾値マトリクスＴＭＸｍを割り当て、Ｙ色の補色のＢ色に対しては、Ｙ色版用閾値マトリクスＴＭＸｙを割り当てる。【選択図】図１３
2005286999.tif 000002
【特許請求の範囲】
【請求項１】
ＣＭＹＫ各版を含み、少なくともＪ（Ｊ≧５）色版に分版された連続階調の画像データを、それぞれ閾値マトリクスを用いてＪ色版の、線数・角度の規定のないドットパターン画像データに変換する前記閾値マトリクスの割当方法において、
Ｋ版に、ある閾値配列の閾値マトリクス（Ｋ版用閾値マトリクスという。）を割り当て、
Ｋ版を除く前記Ｊ色版中の任意の１色版に他の閾値配列の閾値マトリクス（任意の１色版用閾値マトリクスという。）を割り当て、
前記任意の１色版の色相を色相環上にプロットしたとき、この色相に隣り合う色相の色版については、前記Ｋ版用閾値マトリクス及び前記任意の１色版用閾値マトリクス以外の閾値マトリクスを割り当て、かつ、前記Ｊ色版分で割り当てる閾値マトリクスの数を最小に選択する
ことを特徴とする閾値マトリクスの割当方法。
【請求項２】
請求項１記載の閾値マトリクスの割当方法において、
前記Ｊ色版が、ＣＭＹＫＲＧＢ各版であるとき、前記Ｋ版を除き、前記色相環上では、ＣＧＹＲＭＢの隣り合う関係でプロットされるので、プロットされた前記色相環上で相互に隣り合わないＣＹＭ各版中の１色に前記任意の１色版用閾値マトリクスを割り当てたとき、プロットされた前記色相環上で相互に隣り合わないＧＲＢ各版では、前記Ｋ版用閾値マトリクス及び前記任意の１色版用閾値マトリクス以外の前記閾値マトリクスを割り当てる
ことを特徴とする閾値マトリクスの割当方法。
【請求項３】
請求項１記載の閾値マトリクスの割当方法において、
前記Ｊ色版が、ＣＭＹＫＯＧ各版であるとき、前記Ｋ版を除き、前記色相環上では、ＣＧＹＯＭの隣り合う関係でプロットされるので、Ｃ版に前記任意の１色版用閾値マトリクスを割り当てたとき、このＣ版に隣り合うＧ版版には、前記Ｋ版用閾値マトリクス及び前記任意の１色版用閾値マトリクス以外の前記閾値マトリクスを割り当て、このＧ版に隣り合うＹ版には前記任意の１色版用閾値マトリクスを割り当て、このＹ版に隣り合うＯ版には、前記Ｋ版用閾値マトリクス及び前記任意の１色版用閾値マトリクス以外の前記閾値マトリクスを割り当て、このＯ版に隣り合うＭ版には、前記任意の１色版用閾値マトリクスを割り当てると隣り合う前記Ｃ版用と同じになってしまうので、さらに異なる閾値配列の閾値マトリクスを割り当てる
ことを特徴とする閾値マトリクスの割当方法。
【請求項４】
ＣＭＹＫ各版を含み、少なくともＪ（Ｊ≧５）色版に分版された連続階調の画像データを、ＣＭＹＫ各版用の閾値マトリクスを用いてＪ色版の、線数・角度の規定のないドットパターン画像データに変換する前記閾値マトリクスの割当方法において、
ＣＭＹＫ各色以外の他の色版の色相を色相環上にプロットしたとき、この他の色版用の閾値マトリクスとして、ＣＭＹ各版用の閾値マトリクス中、色相環上で、この他の色版の色相に隣り合わない色版用の閾値マトリクスを割り当てる
ことを特徴とする閾値マトリクスの割当方法。
【請求項５】
ＣＭＹＫ各版を含み、少なくともＪ（Ｊ≧５）色版に分版された連続階調の画像データを、それぞれ閾値マトリクスを用いてＪ色版の、線数・角度の規定のないドットパターン画像データに変換する前記閾値マトリクスの割当方法において、
Ｋ版に、ある閾値配列の閾値マトリクス（Ｋ版用閾値マトリクスという。）を割り当て、
Ｋ版を除く前記Ｊ版中、相互に補色の関係にある色版については、同じ閾値配列の閾値マトリクスを割り当てる
ことを特徴とする閾値マトリクスの割当方法。
【請求項６】
請求項５記載の閾値マトリクスの割当方法において、
前記Ｊ色版が、ＣＭＹＫＲＧＢ各版であるとき、ＣＭＹＫ各版には、それぞれＣＭＹＫ各版用の閾値マトリクスを割り当て、
色相環上では、ＣＧＹＲＭＢの隣り合う関係でプロットされるので、Ｇ版に対しては補色の関係にあるＭ版用閾値マトリクスを割り当て、Ｒ版に対しては補色の関係にあるＣ版用閾値マトリクスを割り当て、Ｂ版に対しては補色の関係にあるＹ版用閾値マトリクスを割り当てる
ことを特徴とする閾値マトリクスの割当方法。
【請求項７】
請求項５記載の閾値マトリクスの割当方法において、
前記Ｊ色版が、ＣＭＹＫＯＧ各版であるとき、ＣＭＹＫ各版には、それぞれＣＭＹＫ各版用の閾値マトリクスを割り当て、
色相環上では、ＣＧＹＯＭの隣り合う関係でプロットされるので、Ｇ版に対しては補色の関係にあるＭ版用閾値マトリクスを割り当て、Ｏ版に対しては補色の関係にあるＣ版用閾値マトリクスを割り当てる
ことを特徴とする閾値マトリクスの割当方法。
【請求項８】
請求項１〜７のいずれか１項に記載の閾値マトリクスの割当方法において、
ある特定の色版用の閾値マトリクスに対して、他の色版用の閾値マトリクスが、前記ある特定の色版用の閾値マトリクスに配列された閾値の読出方法を変更して作成されている
ことを特徴とする閾値マトリクスの割当方法。
【請求項９】
請求項１〜７のいずれか１項に記載の閾値マトリクスの割当方法において、ＣＭＹＫ各版用の閾値マトリクスのサイズは、それぞれ異なるサイズで作成されている
ことを特徴とする閾値マトリクスの割当方法。
【発明の詳細な説明】
【技術分野】
【０００１】
この発明は、階調値ｕ（ｕは、例えば２５６）で入力された連続階調画像データを線数・角度の規定のないｖ値（２≦ｖ＜ｕ）画像であるドットパターンデータ（ｖ値画像データ）に変換する、ＦＭスクリーンあるいはストキャスティック（stochastic）スクリーンと呼ばれるスクリーンを作成するための閾値マトリクスの割当方法に関し、例えばフイルムセッター、プレートセッター、ＣＴＰ（Computer to Plate）装置、ＣＴＣ（Computer to Cylinder）装置、ＤＤＣＰ（Direct Digital Color Proof）システム等の印刷分野機器（出力システム）、その他インクジェットプリンタあるいは電子写真プリンタに適用して好適な閾値マトリクスの割当方法に関する。
【０００２】
なお、この明細書において、線数・角度の規定のないドットパターンとは、線数と角度が一意に決定される網点を形成する一般的なＡＭスクリーン（万線等も含む）ではなく、一般にＦＭスクリーンあるいはストキャスティックスクリーンに分類されるパターンをいう。
【背景技術】
【０００３】
従来から、印刷分野では、線数、角度、ドット形状で特徴付けられる、いわゆるＡＭ（振幅変調）スクリーンの他、ＦＭ（周波数変調）スクリーンが採用されている（特許文献１参照）。
【０００４】
このＦＭスクリーン用の閾値マトリクスを作成する技術が上記特許文献１に提案されている。
【０００５】
この特許文献１に係る技術では、既に決定された閾値の位置と新たに決定する閾値の位置との距離が最も離れるように閾値位置を決定することで閾値マトリクスの各要素の配列、すなわち閾値配列を昇順あるいは降順に作成する。このようにして作成された閾値マトリクスを用いた２値画像のドットパターンでは、ドットが片寄ることがなく、また、閾値マトリクスを複数並べてドットパターンを作成した場合においても繰り返しを原因とする周期性が現れないという優れた特徴を有する。
【０００６】
なお、閾値マトリクスの作成に関し、以下に示す複数の特許文献を上げることができる。
【０００７】
特許文献２に係る技術は、あるドットパターンが持つ低周波成分で、白画素（未黒化画素）中、低周波成分が最も弱い画素と、黒化画素中、低周波成分が最も強い画素を抽出し、抽出した白画素と黒化画素を入れ替えることでドットパターンの平滑化を図る技術である（特許文献２参照）。
【０００８】
特許文献３に係る技術は、閾値マトリクス中、閾値マトリクスが持つ低周波成分の最も弱い位置に次の黒化画素が配置されるように閾値位置を決定していく技術である（特許文献３参照）。
【０００９】
特許文献４に係る技術は、ある階調までの閾値マトリクス中の閾値配列が決定しているとき、次階調の閾値位置を決める際、低周波成分を強めない位置に黒化画素が配置されるように閾値位置を決める技術である（特許文献４参照）。
【００１０】
特許文献５に係る技術は、ある階調での理想的なドットパターンが与えられている場合に、このドットパターンに基づき、上記特許文献２〜４の技術を適用し、閾値マトリクスを作成する技術である（特許文献５参照）。
【００１１】
【特許文献１】特開平８−２６５５６６号公報
【特許文献２】特許第３４００３１６号公報
【特許文献３】特開２００１−２９２３１７号公報
【特許文献４】特開２００２−３６８９９５号公報
【特許文献５】特開２００２−３６９００５号公報
【発明の開示】
【発明が解決しようとする課題】
【００１２】
ところで、ＦＭスクリーンをオフセット印刷で用いる場合、画像品質上でざらつきが目立つという不具合がある。またＦＭスクリーンでは、印刷時、あるいは印刷の中間工程であるフイルムの出力時、あるいはＣＴＰ装置による刷版の出力時に、ドットゲインが大きくなったり、画像再現が不安定になる等の不具合が発生する。
【００１３】
従来技術に係るＦＭスクリーンでは、１（１×１）画素ＦＭ、４（２×２）画素ＦＭのように、構成画素数が１画素からなるドット、あるいは４画素からなるドットのようにドットサイズが決定されると、ＦＭスクリーンを作成するアルゴリズムによって閾値マトリクスを構成する閾値の配列が決定されて出力品質が決定してしまい、ドットサイズのみが、ＦＭスクリーンの品質を決めるパラメータになっている。例えば、ハイライト側で２×２画素ＦＭのドットを安定して再現することができない出力システムに対して、ドットサイズを３×３画素ＦＭに決定すると、中間調の解像度（パターン周波数あるいはパターン解像度という。）が低下し画像品質が低下する。
【００１４】
図２２には、従来技術に係るドットサイズが２×２画素ＦＭの網パーセントが５％のハイライトＨＬ側でのドットパターン１と、網パーセントが５０％の中間調でのドットパターン２を示すとともに、ドットサイズが３×３画素ＦＭの網パーセントが５％のハイライトＨＬ側でのドットパターン３と、網パーセントが５０％の中間調でのドットパターン４を示している。
【００１５】
また、図２３は、図２２の２×２画素ＦＭのドットパターン２に対してＦＦＴ（高速フーリエ変換）をかけた場合のパワー図を示し、図２４は、図２２の３×３画素ＦＭのドットパターン４に対してＦＦＴをかけた場合のパワー図を示している。
【００１６】
図２２中、中間調の５０％において、２×２画素ＦＭのドットパターン２は、３×３画素ＦＭのドットパターン４に比較してざらつきは少ないが、網パーセントの印刷への再現性は悪い。その一方、中間調の５０％において、３×３画素ＦＭのドットパターン４のパターン周波数６は約１３［ｃ／ｍｍ］であり、２×２画素ＦＭのドットパターン２のパターン周波数５である約２０［ｃ／ｍｍ］に比較して低くなる。ここで、ピーク値のパターン周波数６、５は、それぞれピーク空間周波数ｆｐｅａｋとも呼ぶ。
【００１７】
なお、イメージセッター及びＣＴＰ（Computer to Plate）装置等の出力システムの出力解像度（以下、出力システムの解像度を出力解像度Ｒという。）は、例えば２５４０［画素／インチ］＝１００［画素／ｍｍ］（や２４００［画素／インチ］＝９４．４８８［画素／ｍｍ］）のように設定されているが、この場合、１×１画素ＦＭのドットサイズが１０［μｍ］×１０［μｍ］（１０．６［μｍ］×１０．６［μｍ］）となり、２×２画素ＦＭのドットサイズが２０［μｍ］×２０［μｍ］（２１．２［μｍ］×２１．２［μｍ］）になる。この明細書において、出力解像度Ｒと図２３、図２４に示したドットパターン２、４のパターン周波数５、６とは異なる。
【００１８】
また、近年、ＣＭＹＫの４色版を超える多色、すなわち、５色以上の多色、例えばＣＭＹＫ＋ＲＧＢ｛シアン色（Ｃ色）、マゼンタ色（Ｍ色）、黄色（Ｙ色）、黒色（Ｋ色）、赤色（Ｒ色）、緑色（Ｇ色）、青色（Ｂ色）｝の７色、ＣＭＹＫ＋ＯＧ｛Ｃ色、Ｍ色、Ｙ色、Ｋ色、オレンジ色（Ｏ色）、Ｇ色｝の６色等でカラー画像を再現する方式が、インクジェットプリンタやオフセット印刷等で実施されている。
【００１９】
４色を超える多色でカラー画像を再現することで、色再現範囲が広がることが期待できる。さらには、ＣＭＹＫ４色版では、Ｒ色を再現するときにはＹ色版とＭ色版を重ねることが必要であり、Ｇ色を再現するときにはＣ色版とＹ色版を重ねることが必要であるが、ＣＭＹＫの４色版を超える多色でカラー画像を再現する場合には、それぞれＲ色の再現にはＲ色版のみ、Ｇ色の再現にはＧ色版のみを用いればよいので使用インク量を削減することができる。
【００２０】
５色以上の色版を作成するには、一定の間隔（線数）と角度を持ったドットパターンで構成されるＡＭスクリーンではなく、線数・角度の規定のないドットパターンでｖ値化したスクリーンを重畳した方が、色版を重ねることによる周期パターン等の発生に基づく不具合が発生しないことが知られている。
【００２１】
ところが、閾値マトリクスを用いて線数・角度の規定のないドットパターンを作成するｖ値化を行う際、多色版を構成するＪ版の各版について、全て同じ閾値マトリクスを用いると、画像上、以下に説明する不具合が発生する場合がある。つまり、画像作成の際に、ある版と他の版とで位置ずれがない場合には、お互いの着色部が正確に重なるが、少しでも位置ずれがある場合には、ドットの重なりが少なくなり、色再現性の安定性が下がり、また色再現のむらが発生する。このように、多色版を構成するＪ版の各版について、全て同じ閾値マトリクスを用いると、出力機上での僅かな位置ずれが画像に不具合をもたらすという欠点がある。
【００２２】
そこで、５色以上の色版でカラー画像を再現する際には、閾値配列の異なる各色版分の閾値マトリクスを用意することが好ましいが、異なる閾値配列の閾値マトリクスを複数作成する作業負荷が大きく、かつ作成することがきわめて困難である。さらに、通常ＣＭＹＫ４版のそれぞれに対応した４つの閾値マトリクスを取り扱うＲＩＰシステム等では、５色以上の色版の閾値マトリクスをハンドリングすることが困難な場合が多い。
【００２３】
この発明は、上述した課題を考慮してなされたものであって、５色以上の色版でカラー画像を再現するその多色分解版を作成する際に用いる閾値マトリクスを、少ない作業負荷で作成し、かつ画像の重ね合わせの際に不具合の発生しない閾値マトリクスの割当方法を提供することを目的とする。
【課題を解決するための手段】
【００２４】
この発明に係る閾値マトリクスの割当方法は、ＣＭＹＫ各版を含み、少なくともＪ（Ｊ≧５）色版に分版された連続階調の画像データを、それぞれ閾値マトリクスを用いてＪ色版の、線数・角度の規定のないドットパターン画像データに変換する前記閾値マトリクスの割当方法において、Ｋ版に、ある閾値配列の閾値マトリクス（Ｋ版用閾値マトリクスという。）を割り当て、Ｋ版を除く前記Ｊ色版中の任意の１色版に他の閾値配列の閾値マトリクス（任意の１色版用閾値マトリクスという。）を割り当て、前記任意の１色版の色相を色相環上にプロットしたとき、この色相に隣り合う色相の色版については、前記Ｋ版用閾値マトリクス及び前記任意の１色版用閾値マトリクス以外の閾値マトリクスを割り当て、かつ、前記Ｊ色版分で割り当てる閾値マトリクスの数を最小に選択することを特徴とする。
【００２５】
色相環上でＫ色と、Ｋ色を除く任意の１色と、この任意の１色に隣り合う色とで、それぞれ異なる閾値マトリクスを割り当てることで、色相環において、Ｋ色、Ｋ色を除く任意の１色、及びこの任意の１色に隣り合う色で形成される扇形内の色成分は、通常、この３色の混合で再現することができる。この混合される３色に異なる閾値マトリクスを使用することで、ドットの過度の重複が回避され、画像の重ね合わせを原因とする不具合が発生しなくなる。また、このように閾値マトリクスを割り当てる際に、この条件を満足する範囲で、閾値マトリクスの数を最小に選択するようにすることで、閾値マトリクスの作成作業の負荷を低減することができる。
【００２６】
この場合、例えば、前記Ｊ色版が、ＣＭＹＫＲＧＢ各版であるとき、前記Ｋ版を除き、前記色相環上では、ＣＧＹＲＭＢの隣り合う関係でプロットされるので、プロットされた前記色相環上で相互に隣り合わないＣＹＭ各版中の１色に前記任意の１色版用閾値マトリクスを割り当てたとき、プロットされた前記色相環上で相互に隣り合わないＧＲＢ各版では、前記Ｋ版用閾値マトリクス及び前記任意の１色版用閾値マトリクス以外の前記閾値マトリクスを割り当てるようにすることで、ＣＭＹＫＲＧＢ各版では、閾値配列の異なる３個の閾値マトリクスを用いればよいこととなり、閾値マトリクスの作成作業の負荷を低減することができる。このようにすれば、通常ＣＭＹＫ４版のそれぞれに対応した４つの閾値マトリクスを取り扱うＲＩＰシステム等においても、ＣＭＹＫＲＧＢ各版の閾値マトリクスをハンドリングすることができる。
【００２７】
また、例えば、前記Ｊ色版が、ＣＭＹＫＯＧ各版であるとき、前記Ｋ版を除き、前記色相環上では、ＣＧＹＯＭの隣り合う関係でプロットされるので、Ｃ版に前記任意の１色版用閾値マトリクスを割り当てたとき、このＣ版に隣り合うＧ版版には、前記Ｋ版用閾値マトリクス及び前記任意の１色版用閾値マトリクス以外の前記閾値マトリクスを割り当て、このＧ版に隣り合うＹ版には前記任意の１色版用閾値マトリクスを割り当て、このＹ版に隣り合うＯ版には、前記Ｋ版用閾値マトリクス及び前記任意の１色版用閾値マトリクス以外の前記閾値マトリクスを割り当て、このＯ版に隣り合うＭ版には、前記任意の１色版用閾値マトリクスを割り当てると隣り合う前記Ｃ版用と同じになってしまうので、さらに異なる閾値配列の閾値マトリクスを割り当てるようにすることで、ＣＭＹＫＯＧ各版では、閾値配列の異なる４個の閾値マトリクスを用いればよいことととなり、閾値マトリクスの作成作業の負荷を低減することができる。このようにすれば、通常ＣＭＹＫ４版のそれぞれに対応した４つの閾値マトリクスを取り扱うＲＩＰシステム等においても、ＣＭＹＫＯＧ各版の閾値マトリクスをハンドリングすることができる。
【００２８】
また、この発明の閾値マトリクスの割当方法は、ＣＭＹＫ各版用の閾値マトリクスを含み、少なくともＪ（Ｊ≧５）色版に分版された連続階調の画像データを、それぞれ閾値マトリクスを用いてＪ色版の、線数・角度の規定のないドットパターン画像データに変換する前記閾値マトリクスの割当方法において、ＣＭＹＫ各色以外の他の色版の色相を色相環上にプロットしたとき、この色相用の閾値マトリクスとして、ＣＭＹ各版用の閾値マトリクス中、色相環上で、この色相に隣り合わない色版用の閾値マトリクスを割り当てることを特徴とする。
【００２９】
この発明では、５色以上の色版でカラー画像を再現するその多色分解版を作成する際に用いる閾値マトリクスを、ＣＭＹＫ各版用閾値マトリクスの計４版に限定できる場合が多くなるので、少ない作業負荷で、画像の重ね合わせの際に不具合の発生しない閾値マトリクスを作成乃至割り当てることができる。
【００３０】
また、この発明は、ＣＭＹＫ各版を含み、少なくともＪ（Ｊ≧５）色版に分版された連続階調の画像データを、それぞれ閾値マトリクスを用いてＪ色版の、線数・角度の規定のないドットパターン画像データに変換する前記閾値マトリクスの割当方法において、Ｋ版に、ある閾値配列の閾値マトリクス（Ｋ版用閾値マトリクスという。）を割り当て、Ｋ版を除く前記Ｊ版中、相互に補色の関係にある色版については、同じ閾値配列の閾値マトリクスを割り当てることを特徴とする。
【００３１】
補色関係にある色版について同じ閾値配列の閾値マトリクスを用いても、補色関係にある色版については、色が混合されると灰色になってしまうことから、色が混合されることがきわめて希であるので、スクリーンの位置ずれがあってもドットの重なりが少ないことを原因とする色再現の安定性の低下やむらが発生することがない。また、閾値マトリクスの作成を少ない作業負荷で行うことができる。
【００３２】
この場合、例えば、前記Ｊ色版が、ＣＭＹＫＲＧＢ各版であるとき、ＣＭＹＫ各版には、それぞれＣＭＹＫ各版用の閾値マトリクスを割り当て、色相環上では、ＣＧＹＲＭＢの隣り合う関係でプロットされるので、Ｇ版に対しては補色の関係にあるＭ版用閾値マトリクスを割り当て、Ｒ版に対しては補色の関係にあるＣ版用閾値マトリクスを割り当て、Ｂ版に対しては補色の関係にあるＹ版用閾値マトリクスを割り当てるようにすることで、ＣＭＹＫＲＧＢ各版では、閾値配列の異なる４個の閾値マトリクス、通常ＣＭＹＫ各版用閾値マトリクスを用いればよいこととなり、閾値マトリクスの作成作業の負荷を低減することができる。
【００３３】
また、例えば、前記Ｊ色版が、ＣＭＹＫＯＧ各版であるとき、ＣＭＹＫ各版には、それぞれＣＭＹＫ各版用の閾値マトリクスを割り当て、色相環上では、ＣＧＹＯＭの隣り合う関係でプロットされるので、Ｇ版に対しては補色の関係にあるＭ版用閾値マトリクスを割り当て、Ｏ版に対しては補色の関係にあるＣ版用閾値マトリクスを割り当てるようにすることで、ＣＭＹＫＯＧ各版では、閾値配列の異なる４個の閾値マトリクス、通常ＣＭＹＫ各版用閾値マトリクスを用いればよいこととなり、閾値マトリクス作成作業の負荷を低減することができる。
【００３４】
なお、ある特定の色版用の閾値マトリクスに対して、他の色版用の閾値マトリクスを、前記ある特定の色版用の閾値マトリクスに配列された閾値の読出方法を変更して作成するようにすることで、ある特定の色版用の閾値マトリクスの閾値配列を変更することが可能となり、最初から閾値マトリクスを作成する作業に比較して作業時間を大幅に低減することができる。
【００３５】
また、ＣＭＹＫ各版用の閾値マトリクスのサイズを、それぞれ異なるサイズとすることで、ドットパターン上での不要な周期パターンの発生をより抑制することができる。
【発明の効果】
【００３６】
この発明では、５色以上の色版で線数・角度の規定のないドットパターンでカラー画像を再現するその多色分解版を作成する際に用いる閾値マトリクスを、隣り合う色相同士では異なる閾値配列の閾値マトリクスを用い、かつ用いる閾値マトリクスを最小の数とするように閾値マトリクスを割り当てるようにしているので、少ない作業負荷で閾値マトリクスを作成でき、割り当てることができる。
【００３７】
この発明では、５色以上の色版で線数・角度の規定のないドットパターンでカラー画像を再現するための多色分解版を作成する際に用いる閾値マトリクスを、色版が色相環上補色関係にある場合には、同一閾値配列の閾値マトリクスを用いるようにしているので、少ない作業負荷で閾値マトリクスを作成でき、かつ画像の重ね合わせの際に不具合が発生しない割り当てとすることができる。
【発明を実施するための最良の形態】
【００３８】
以下、この発明の実施形態について図面を参照して説明する。なお、この実施形態においては、最初に閾値マトリクスの作成方法について説明し、次に、その閾値マトリクスの割当方法について説明する。
【００３９】
図１は、この発明の実施形態に係る閾値マトリクスの作成方法が適用された閾値マトリクス作成システム１０の基本的な構成を示している。
【００４０】
図１例の閾値マトリクス作成システム１０は、均一濃度のテストパターンを含む任意の階調値ｕ（例えば、ｕ＝２５６）の連続階調の画像データＩを発生するとともに、この画像データＩの２次元上のアドレス（ｘ，ｙ）を発生する画像データ発生器１２と、アドレス（ｘ，ｙ）で読み出される閾値ｔｈを出力する複数の閾値マトリクスＴＭ（又は、ＴＭＸあるいはＴＸの符号を用いる。）を格納する閾値マトリクス格納部１４と、閾値ｔｈと画像データＩとを比較して線数・角度の規定のないドットパターンを表現するための２値画像データＨを出力する比較器１６と、比較器１６から出力される２値画像データＨに対応するドットパターンデータＨａを発生するドットパターン発生器１８を含みドットパターンデータＨａが表すドットパターンが所望のドットパターンとなるように閾値マトリクスＴＭの閾値配列（閾値位置）を決定する閾値マトリクス作成装置２０と、ドットパターンデータＨａに対応するドットパターンをフイルム、刷版ＰＰ、あるいは印刷物上に形成する出力システム２２とから構成されている。
【００４１】
この閾値マトリクス作成装置２０で作成される閾値マトリクスＴＭは、上記のドットパターンが、線数・角度の規定のないように階調値ｕの連続階調の画像データＩを変換する、例えばＦＭスクリーン用の閾値マトリクスＴＭである。
【００４２】
ここで、閾値マトリクス格納部１４は、ハードディスク等の記録媒体であり、出力システム２２を除く、画像データ発生器１２、比較器１６、ドットパターン発生器１８及び閾値マトリクス作成装置２０は、パーソナルコンピュータ（ＣＰＵ、メモリ、キーボードマウス等の入力装置２０ａ、ディスプレイ２０ｂ及びプリンタ２０ｃ等の出力装置を含む。）に格納されたプログラムを該コンピュータが実行することで達成される機能実現手段で構成することができる。また、閾値マトリクス作成装置２０を構成する機能実現手段はハードウエアにより構成することも可能である。なお、閾値マトリクス作成装置２０に含まれる機能実現手段の構成及び作用については後述する。
【００４３】
この実施形態において、出力システム２２は、基本的には、露光ユニット２６と印刷版材ＥＭが巻かれたドラム２７とを有するＣＴＰ装置の構成とされ、図示しない主走査モータにより高速で主走査方向ＭＳに回転されるドラム２７に巻かれた印刷版材ＥＭに対して、ドットパターンデータＨａに応じて画素毎にオンオフする複数のレーザビーム（記録ビーム）を出力する露光ユニット２６を図示しない副走査モータによりドラム２７の軸方向である副走査方向ＡＳに移動させることで、印刷版材ＥＭ上に潜像としての２次元画像であるドットパターンを形成する。なお、レーザビームの数は、数百チャンネルにわたる場合もある。
【００４４】
ドットパターンの潜像が形成された印刷版材ＥＭ（通常、ＣＭＹＫ用のスクリーン角度が異なった４種の印刷版材）は、自動現像機２８により現像処理されて、顕像化されたドットパターンが形成された刷版ＰＰが作成される。作成された刷版ＰＰが図示していない印刷機に装着され、装着された刷版ＰＰに対してインキが付けられる。
【００４５】
なお、印刷版材ＥＭが含む感光材料としては、特許第３４６１３７７号公報に開示されているような、アルカリ可溶性結着剤と、赤外光又は近赤外光を吸収し熱を発生する物質と、熱分解性でありかつ分解しない状態では前記結着剤の溶解性を実質的に低下させる物質を含むポジ型画像記録材料であることが好ましい。刷版ＰＰ用の印刷版材としては、アルミ板あるいはポリエステルフイルム等の支持体上に前記各物質を含む層が設けられた感光材料を含む画像記録材料であることが好ましい。
【００４６】
この場合、アルカリ可溶性結着剤としては、フェノール樹脂、アクリル樹脂、あるいはポリウレタン樹脂を含むものが用いられる。また、赤外光又は近赤外光を吸収し熱を発生する物質としては、染料、顔料、あるいはカーボンブラックが用いられる。さらに、熱分解性でありかつ分解しない状態では前記結着剤の溶解性を実質的に低下させる物質としては、オニウム塩、ジアゾニウム塩、あるいはキノンジアジド化合物を含む物質が用いられる。
【００４７】
刷版ＰＰに付けられたインキが印画紙等の記録媒体である印刷用紙上に転移されることで、印刷用紙上に画像が形成された所望の印刷物を得ることができる。
【００４８】
また、後述するように、出力システムとしては、いわゆるレーザ光を用いた走査露光装置に限らず、面露光方式やインクジェット方式でフイルム、刷版あるいは印刷物を描画する装置、さらには、ＣＴＣ印刷機等にも適用することができる。
【００４９】
なお、閾値マトリクス格納部１４に格納されている閾値マトリクスＴＭの閾値配列は、ＤＶＤ、ＣＤＲＯＭ、ＣＤ−Ｒ、半導体メモリ等のパッケージメディアであって持ち運ぶことの可能な記録媒体に記録して可搬することが可能である。
【００５０】
次に、図１に示した閾値マトリクス作成システム１０を使用した閾値マトリクスの作成方法について、図２のフローチャートを参照しながら説明する。なお、図２のフローチャートに係るプログラムを実行する主体は、閾値マトリクス作成装置２０である。
【００５１】
まず、ステップＳ１において、３つのパラメータを設定する。第１のパラメータは、閾値マトリクス格納部１４に設定される閾値マトリクスＴＭのサイズであり、Ｎ×Ｎ個の画素に対応するＮ×Ｎ個の閾値が格納される閾値マトリクスＴＭのサイズＮ×Ｎを設定する。閾値マトリクスＴＭは、アドレス（ｘ，ｙ）で決定される各位置（要素）に、０〜ｔｈｍａｘをとる閾値ｔｈが配置される。最大閾値ｔｈｍａｘの値は、８ビットの階調を持つシステムでは「２５５」、１６ビットの階調を持つシステムでは「６５５３５」に設定される。なお、以下、正方の閾値マトリクスサイズＮ×Ｎについての例を説明するが、長方の閾値マトリクスサイズＮ×Ｍを用いることもできる。実際上、閾値マトリクスＴＭは、画像の大きさに対応して、同じ閾値配列を有する閾値マトリクスサイズＮ×Ｎの閾値マトリクスＴＭがタイル状に複数敷きつめられた構成（スーパー閾値マトリクスＳＴＭと呼ぶ。）として使用に供される。閾値マトリクスＴＭを構成する閾値ｔｈは、スーパー閾値マトリクスＳＴＭ全体の閾値配列を考慮して決定される。
【００５２】
なお、この実施形態において、出力システム２２により出力可能な画素の大きさは、１０［μｍ］×１０［μｍ］＝１×１画素ドット＝１画素であるものとする。１０［μｍ］×１０［μｍ］は、この実施形態では、印刷版材ＥＭを露光記録する際の露光ユニット２６で制御可能な最小単位である。
【００５３】
第２のパラメータは、出力システム２２から安定して出力可能な、換言すれば、出力システム２２から出力される刷版ＰＰ上に安定して形成可能な最小サイズのドットの構成画素数である。この場合、最小サイズのドットは、１画素ドット（最小サイズのドットの構成画素数が１画素）、２画素ドット、３画素ドット、２×２画素（最小サイズのドットの構成画素数が４画素）ドット、２×３画素（６画素）ドット、３×３画素（９画素）ドット等に設定することができる。この実施形態において、刷版ＰＰ（実際上は、印刷物）上に安定して形成可能な最小サイズのドットは、ドットサイズが２×２の４画素からなる２×２画素ドットであるものとする。
【００５４】
第３のパラメータは、網パーセント（濃度パーセントともいう。）が、１０％〜５０％の中間調の中、所定の網パーセントでのパターン周波数、すなわち中間調ドットパターンのパターン周波数ｒである。中間調ドットパターンのパターン周波数ｒは、中間調でドットパターンが持つピーク空間周波数ｆｐｅａｋ［ｃ／ｍｍ］を指定する。
【００５５】
このピーク空間周波数ｆｐｅａｋは、実際上、画像のディテールの再現に対応する他、ざらつき等の画像品質に影響する。この実施形態においては、視覚的に十分に細かい２０［ｃ／ｍｍ］、すなわち、５０８（２０×２５．４）［ＬＰＩ：Line Per Inch］にパターン周波数ｒを設定する（ｆｐｅａｋ＝ｒ＝２０［ｃ／ｍｍ］）。
【００５６】
次に、ステップＳ２において、中間調において、パターン周波数ｒを持つように、ハイライトＨＬのドット候補位置及びシャドーＳＤのドット候補位置を決定する。
【００５７】
この場合、第１に、図３Ａに示すように、閾値マトリクスＴＭのサイズＮ×Ｎと同一サイズＮ×Ｎの網パーセント５０％でのホワイトノイズパターンＷＨをホワイトノイズ発生器３０により作成する。ホワイトノイズパターンＷＨは、１×１画素ドットが空間領域にランダムに配置された画像である。なお、ホワイトノイズパターンＷＨは、網パーセント１０％〜９０％の中間調内任意の値で発生させることができる。
【００５８】
第２に、このホワイトノイズパターンＷＨに対してＦＦＴ器（高速フーリエ変換器）３２でＦＦＴ（高速フーリエ変換）をかけ、さらに、パターン周波数帯域フィルタ（パターン周波数ＢＰＦ）３４によりパターン周波数ｒ（±Δ）の帯域フィルタをかけると、図３Ｂに示すように、半径がパターン周波数ｒのリング状の周波数領域データＡＦＦＴ２が得られる。
【００５９】
第３に、この周波数領域データＡＦＦＴにＩＦＦＴ器（高速逆フーリエ変換器）３６によりＩＦＦＴ（高速逆フーリエ変換）をかけ、図３Ｃに示す連続階調画像の空間領域データＡ２に変換する。
【００６０】
第４に、空間領域データＡ２の各画素の値に対して、中央階調値（例えば、最大階調が２５５であれば、１２７）を比較器３８により比較し、図３Ｄに示す２値データＡ２＿ｂｉｎを作成する。
【００６１】
この２値データＡ２＿ｂｉｎ中、黒化されている部分（領域）がハイライトＨＬでのドット候補位置となり、白抜けとなっている部分（領域）がシャドーＳＤでのドットの候補位置となる。
【００６２】
なお、２値データＡ２＿ｂｉｎは、ハイライトＨＬ側あるいはシャドーＳＤ側でのドットを配置する候補位置であって、必ずしも、網パーセントが５０％の時に、２値データＡ２＿ｂｉｎのパターンになる訳ではない。これは、２値データＡ２＿ｂｉｎが、必ずしも最適な５０％のドットパターンではないとき、最適なドットパターンとなるように自由度を大きくするためである。
【００６３】
ただし、５０％において、特徴的なドットパターンを用いたいとき、あるいは２値データＡ２＿ｂｉｎに相当するドットパターンを修正して最適な５０％のドットパターンを得ることができたときには、５０％のドットパターンを設定することができる。
【００６４】
次いで、ステップＳ３において、ドットパターンが定まった網パーセントに対して、今回の網パーセントで新規に設定する最小サイズのドット数（新規の最小サイズのドット数あるいは最小サイズの新規ドット数ともいう。）Ｄｎを決定する。各網パーセントＰ［％］で設定される最小サイズの新規ドット数Ｄｎは、各網パーセントＰにおける累積ドット数（累積値）をＤｓ（Ｐ）とすると、Ｄｎ（Ｐ）＝Ｄｓ（Ｐ）−Ｄｓ（Ｐ−１）［個］で表すことができる。
【００６５】
すなわち、ステップＳ３では、網パーセントを増大させながら順次ドットの候補位置を決定するときに、既にドットパターンが定まっている１つ前の網パーセントＰ−１に対して今回の網パーセントＰで新規に設定する最小サイズのドット数Ｄｎ（Ｐ）を決定する。
【００６６】
閾値マトリクスのサイズＮ×Ｎに対して、ドットパターンが網パーセントＰを持つとき、閾値マトリクスＴＭのサイズＮ×Ｎに対応するドットパターン中での黒化総画素数は、Ｎ×Ｎ×Ｐ／１００［個］と計算される。ドットパターンを構成する全てのドットが２×２（ｎ＝４）画素ドットの最小サイズのドットのみによる構成であれば、各網パーセントＰにおける最小サイズのドットの数は、Ｄｓ（Ｐ）＝（Ｎ×Ｎ×Ｐ／１００）／ｎで表されるので、例えば、図４の実線の直線ｎａに示すように、Ｎ×Ｎ×Ｐ／１００／ｎ（ｎ＝４）［個］となる。
【００６７】
このとき、今回の網パーセントＰで新規に設定する最小サイズのドット数Ｄｎ（Ｐ）は、Ｄｎ（Ｐ）＝Ｄｓ（Ｐ）−Ｄｓ（Ｐ−１）＝（Ｎ×Ｎ／１００／ｎ）となる。
【００６８】
なお、図４の縦軸は、新規に設定する最小サイズのドット数（新規ドット数）Ｄｎの計算上の累積値Ｄｓである。実際には、網パーセントＰが２５［％］より大きくなってくると、隣接する最小サイズのドットが接してくるため、実際にドットパターンに形成されるドット数は、図４に示した新規ドット数Ｄｎの累積値Ｄｓより小さくなる。
【００６９】
直線で表される新規ドット数累積特性ｎａの各網パーセントでの新規ドット数Ｄｎを決定した場合には、従来技術に係るＦＭスクリーンとなり、印刷時、あるいは印刷の中間工程であるフイルムの出力時に、ドットゲインが大きくなったり、画像再現が不安定になる等の不具合が発生する。
【００７０】
そこで、この発明の一実施形態では、網パーセント１０％未満のハイライトＨＬ側では、パターン周波数が小さくなることを考慮し、全てのドットを最小サイズのドットで構成し、網パーセントが１０％〜５０％の中間調領域では、ドットを最小サイズのドットから太らせて、この実施形態では、画素数５（２×２＋１）以上のドットを使用するようにして、各網パーセントでの新規に増加するドット数Ｄｎの数が、例えば点線の曲線で表される新規ドット数累積特性ｎｃに示すように、網パーセントが１０％から２５％程度までは、設定される最小サイズの新規ドット数Ｄｎが徐々に少なくなるように設定され、網パーセントが２５％から５０％に向かっては新規ドット数Ｄｎがゼロ値に設定される。あるいは、網パーセントが２５％から５０％に向かって新規ドット数Ｄｎが再び徐々に増加するように設定される一点鎖線の曲線で表される新規ドット数累積特性ｎｂが選択される。
【００７１】
この実施形態において、出力システム２２の出力解像度Ｒは、１００［画素／ｍｍ］←→１０［μｍ／画素］であり、中間調ドットパターンのパターン周波数ｒをｒ＝２０［ｃ／ｍｍ］としているので、Ｎ×Ｎ画素の１辺で考えると、１００画素／ｍｍ（Ｒ画素／ｍｍ）当たり４画素からなる黒化されている最小サイズのドットが２０ドット（１ドットは２×２画素でｒ［ｃ／ｍｍ］）［個］存在しなければならない。したがって、Ｎ×Ｎ個の閾値マトリクスＴＭのサイズで考えると、中間調までの新規ドット数Ｄｎの累積値Ｄｓは、（Ｎ／（Ｒ／ｒ））2＝Ｎ×Ｎ×（ｒ／Ｒ）2＝Ｎ×Ｎ×（２０／１００）2＝Ｎ×Ｎ×０．０４［個］になる。
【００７２】
このように設定すれば、網パーセント１０％〜５０％の中間調では、各網パーセントにおいて、閾値マトリクスＴＭにより作成されるドットパターンを構成する総画素数は従来技術に係るＦＭスクリーンの場合と同数となるが、すなわち網パーセントは同一であるが、ドット数が減ることになるので、ドットパターンを構成する全てのドットの周囲を合計した周囲長は、従来技術に係るＦＭスクリーンに比べて減少することになる。
【００７３】
ここで、周囲長とは、例として示す図５Ａ、図５Ｂの同一面積のドットパターン１００、１０４から分かるように、ドットパターン１００には、１×１画素ドット１０２が１６個含まれ、ドットパターン１０４には、２×２画素ドット１０６が４個含まれており、ドットパターン１００を構成するドット１０２の面積の総和と、ドットパターン１０４を構成するドット１０６の面積の総和は同一である。すなわち、ドットパターン１００とドットパターン１０４の網パーセントは同一であるが、単位面積当たりのドットパターンの白黒境界の長さの総和、すなわちドット周囲長は、ドットパターン１００が１６［個］×４＝６４、４［個］×８＝３２のドットパターン１０４に比べて２倍の長さを有することが分かる。
【００７４】
したがって、網パーセントに対するドット数Ｄｎの累積値Ｄｓの関係を新規ドット数累積特性ｎｃのように設定すれば、中間調でのドットゲインの増加が直線の新規ドット数累積特性ｎａのように累積値Ｄｓが設定されるＦＭスクリーンに比較して抑制できる。また、全ての網パーセント範囲において十分な解像度を持ち、従来のＦＭスクリーンと同等となる。ただし、中間調での新規ドット数Ｄｎを新規ドット数累積特性ｎｃで示すように増加しないようにすると（余り減らしすぎると）、１つ１つのドットが大きくなってざらつきが見えやすくなり画像品質が落ちるので、ドットパターンのパターン周波数が粗くなってしまう。
【００７５】
つまり、新規ドット数累積特性ｎｃのように各網パーセントに対して新規ドット数Ｄｎを設定しても、網パーセントが２５％を超えると隣接するドットが接し始めるので、新規ドット数累積特性ｎｃで設定したドット数Ｄｎの累積値Ｄｓにはならない。
【００７６】
このため、実際には、設定として、図４の一点鎖線の曲線で示す新規ドット数累積特性ｎｂに示すように、網パーセントが２５％を超えたときから５０％に至るまで、新規のドット数Ｄｎが再び略一定数増加するように最小サイズの新規のドット数Ｄｎを設定する。この新規ドット数累積特性ｎｂの設定により、網パーセント５０％付近で集中してドットが接することが回避され、トーンジャンプの発生が抑制されるという効果が達成される。
【００７７】
なお、網パーセント５０％を超え１００％までの新規ドット数Ｄｎの累積値Ｄｓの設定は、網パーセント５０％の垂直線に線対称な曲線に設定すればよい。なお、網パーセント５０％〜１００％では、１００％側から５０％側に向かって考えればよく、黒化画素の新規ドット数Ｄｎではなく、白抜け画素（２×２白抜画素）の新規ドット数で考えることとなる。
【００７８】
次に、ステップＳ４のハイライトＨＬ側とシャドーＳＤ側とから閾値ｔｈを交互に順次昇順及び降順で決定する手順について、図６のフローチャートを参照して説明する。なお、以下、繁雑となるのを避けるために、ハイライトＨＬ側で閾値ｔｈを順次決定する手順を主に説明するが、シャドーＳＤ側でも同様である。
【００７９】
ここで、ハイライト側（０％〜５０％）の閾値ｔｈ＿ｈｌ｛０〜（ｔｈｍａｘ−１）／２｝及びシャドー側（１００％〜５０％）の閾値ｔｈ＿ｓｄ｛ｔｈｍａｘ〜（ｔｈｍａｘ−１）／２｝の初期値は、それぞれ、ステップＳ１１で、ｔｈ＿ｈｌ＝０、ｔｈ＿ｓｄ＝ｔｈｍａｘと決める。
【００８０】
この図６のフローチャートにおいて、閾値ｔｈの配置位置の決定順序は、閾値０→閾値ｔｈｍａｘ→閾値１→閾値ｔｈｍａｘ−１→…→閾値（ｔｈｍａｘ−１）／２の順で、網パーセントが５０％までの全閾値ｔｈの配置位置（配列）が決定される。
【００８１】
ハイライト側の所定の閾値ｔｈ＿ｈｌの配列（配置位置）を決める際、ステップＳ１２において、ドット中心位置を設定する。このステップＳ１２では、ステップＳ２で決定してある２値データＡ２＿ｂｉｎ（図３Ｄ）中、黒化されている部分（領域）のハイライトＨＬでのドット候補位置のうち、網パーセントに対応するステップＳ３で決定した新規ドット数Ｄｎ分のドット中心位置を設定する。
【００８２】
ドットの中心位置は、特開平８−２６５５６６号公報（特許文献１）に記載されているように、既に閾値マトリクスＴＭ中の閾値ｔｈの配置位置が決定している１階調前までの閾値ｔｈ＿ｈｌ−１により決定される現在存在する各ドットに対し、今回閾値マトリクスＴＭ中の配置位置を決定しようとする閾値ｔｈ＿ｈｌにより設定される（付けられる）各ドットが、最も離れる位置に設定されるように決められる。
【００８３】
理解の容易化のために、各閾値マトリクスＴＭの閾値数が２５個の９個の閾値マトリクスＴＭ１〜ＴＭ９が敷きつめられたスーパー閾値マトリクスＳＴＭを模式的に示す図７を参照して説明すれば、閾値マトリクスＴＭのハイライトＨＬ側から昇順に、あるいはシャドーＳＤ側から降順に閾値の配置位置を決定する際、図７中、中央の閾値マトリクス（図７例では、５×５の閾値マトリクス）ＴＭ５の周囲（図７例では９近傍）に配置される同一閾値配置構成からなる他の閾値マトリクスＴＭ１〜ＴＭ４、ＴＭ６〜ＴＭ９を含め、既に決定された閾値ｔｈ（図７例では「１」）の配置位置と、新たに配置する閾値ｔｈ＿ｈｌ（図７例では「２」）の配置位置との間の距離が最も離れるように新たに配置する閾値ｔｈ＿ｈｌの中心位置を決定する。
【００８４】
この図７例では、閾値マトリクスＴＭ５中、太く囲った中央の閾値「２」は、その周囲にある太く囲った４つの閾値「１」を中心にそれぞれ円を同心的に同時に大きくしていったときに４つの円が接する点を含む配置位置あるいはこの配置位置に最も近い位置であって、かつ２値データＡ２＿ｂｉｎ（図３Ｄ）中、黒化されている部分が配置位置とされる。
【００８５】
具体例で示せば、図８Ａに示すように、現在まで決定している閾値ｔｈによるドット１０８からなるドットパターン１１０中、例えば、△印の位置１１２がドットの配置位置の中心位置に決定される。
【００８６】
次いで、ステップＳ１３において、閾値配置位置の候補（閾値候補）ｔｈ’＿ｈｌを設定する。この場合、ステップＳ１２で決定したドット配置位置の中心位置を中心としてステップＳ１で決定した最小サイズのドットである２×２（ｎ＝４）画素ドットを設定し（配置し）、新しい閾値を配置する候補、すなわち閾値候補ｔｈ’＿ｈｌとする。
【００８７】
具体例で示せば、図８Ｂに示すように、図８中の△印のドットの配置位置１１２に、２×２画素ドットの閾値候補ｔｈ’＿ｈｌが設定されるドットパターン１１４とされる。
【００８８】
次に、ステップＳ１４〜ステップＳ１６において、現時点までの閾値ｔｈの配置が決定している閾値マトリクスＴＭにより作成されるドットパターンの総画素数が、現在の網パーセントに対応しているかどうかを判断して総画素数の修正処理を行う。なお、このドットパターンは、例えば、画像データ発生器１２から網パーセントに対応するグレイパターン（画素値が同一）の連続調画像データ（平網を発生する画像データＩ）が発生され、閾値マトリクス格納部１４に格納されている現時点までに閾値ｔｈが決定している閾値ｔｈ−１までの閾値ｔｈが配列されている閾値マトリクスＴＭと比較器１６により比較され、結果として得られる２値データＨがドットパターン発生器１８に供給されドットパターンデータＨａが得られる。このドットパターンデータＨａによるドットパターンがディスプレイ２０ｂ等に表示される。
【００８９】
次いで、ステップＳ１４において、既に配置位置が決まっている閾値０〜ｔｈ−１による総画素数と、新たな設定した閾値候補ｔｈ’＿ｈｌによる総画素数とを加算した現在画素数ｔｈ＿ｈｌ＿ｔｏｔａｌが、現在の網パーセントで必要とされる必要画素数ｔｈ＿ｈｌ＿ｎｕｍ＝Ｎ×Ｎ×ｔｈ／ｔｈｍａｘより少ないかどうかが比較される（ｔｈ＿ｈｌ＿ｔｏｔａｌ＜ｔｈ＿ｈｌ＿ｎｕｍ）。
【００９０】
もし、少ない場合には、必要画素数ｔｈ＿ｈｌ＿ｎｕｍから現在画素数ｔｈ＿ｈｌ＿ｔｏｔａｌを引いた（ｔｈ＿ｈｌ＿ｎｕｍ−ｔｈ＿ｈｌ＿ｔｏｔａｌ）分の画素を増加する必要があるので、ステップＳ１５において、この画素を付加するドットを、既存の閾値０〜ｔｈ−１によるドットあるいは未だ配置位置が決まっていない新たな閾値候補ｔｈ’＿ｈｌ以外によるドットから新たな閾値候補ｔｈ’を設定する。
【００９１】
一方、多い場合には、必要画素数ｔｈ＿ｈｌ＿ｎｕｍ−現在画素数ｔｈ＿ｈｌ＿ｔｏｔａｌ分の画素を削除する必要があるので、ステップＳ１６において、この画素を削除するドットを、新たな閾値候補ｔｈ’＿ｈｌによるドットから選択して削除する。
【００９２】
なお、このステップＳ１６において、ドットパターンを構成するドット中、数ドットについては、最小サイズのドットより小さいドットが発生する可能性がある。この実施形態では、最小サイズのドットを２×２画素ドットとしているため、最小サイズのドットによって作成されるドットパターンの総画素数は４の倍数になる。しかし、網パーセントを合わせるために総ドット数を調整する場合には、２×２画素ドットから１〜３個の画素を削除した３画素ドット、２画素ドット、あるいは１画素ドットが必要となる場合がある。
【００９３】
上記のステップＳ１５の処理は、特開２００１−２９２３１７号公報（特許文献３）により提案しているように、既に配置位置が決まっている閾値０〜ｔｈ−１によるドットと新たな閾値候補ｔｈ’＿ｈｌによるドットとからなる空間領域上のドットパターン（２値画像データ）に対してＦＦＴ器３２によりＦＦＴをかけて周波数領域に変換した後、ＬＰＦ（低域通過フィルタ）４０により高周波を遮断し、さらにＩＦＦＴ器３６によりＩＦＦＴをかけて空間領域にもどした後、低周波成分を抽出する処理を行う。そして、抽出した低周波成分が最も弱い位置を画素を付加すべき閾値候補ｔｈ’に設定すればよい。ただし、ステップＳ２の処理において、５０％のドットパターンが設定されている場合には、この５０％のドットパターンの黒化画素中であって、かつ低周波成分が最も弱い位置を、画素を付加すべき閾値候補ｔｈ’に設定すればよい。
【００９４】
低周波成分の最も弱い位置の抽出処理について、さらに詳しく説明すると、ＦＦＴをかけて周波数領域に変換したとき、閾値マトリクスＴＭの繰り返し周波数内に存在する周波数成分がノイズ成分（低周波成分）であるので、この低周波成分を抽出するために、ＬＰＦ４０をかける。
【００９５】
この場合、ノイズ成分は人間が知覚するものであるから、高周波成分をＬＰＦ４０により除去する際に、例えば空間周波数０［ｃ／ｍｍ］でゼロ値、空間周波数０．８［ｃ／ｍｍ］近傍で最大感度（１とする。）、空間周波数２［ｃ／ｍｍ］で約０．４、以下空間周波数６〜８［ｃ／ｍｍ］で略ゼロ値になる特性を有する人間の視覚特性フィルタ４２をＬＰＦ４０としてＬＰＦをかけて低周波成分を抽出する。なお、人間の視覚周波数特性のモデルについては、著者J.Sullivan, L.Ray,and R.Millerによる文献「Design of minimum visual modulation halftone patterns」IEEE Trans. Syst. Man Cybern., vol121,No.1,33-38(1991)に詳しく述べられている。
【００９６】
次いで、ＩＦＦＴ器３６により、ＬＰＦ４０により抽出された低周波成分を逆フーリエ変換して空間領域上の低周波成分を得る。この低周波成分は、強弱をもっており、この低周波成分からなる画像と、閾値マトリクスＴＭ中の閾値候補ｔｈ’の位置とを空間領域上で比較し、低周波成分が最も弱い（最も値が小さい）位置を閾値候補ｔｈ’＿ｈｌとして設定する。
【００９７】
なお、シャドーＳＤ側の場合には、低周波成分が最も強い（最も値が大きい）位置を閾値候補ｔｈ’＿ｓｄとして設定すればよい。
【００９８】
また、ステップＳ１６において、画素を削除するドットは、同様に低周波成分を抽出し、新たな閾値候補ｔｈ’＿ｈｌ中、低周波成分の最も強い（最も値が大きい）位置にあるドットから画素を削除するようにすればよい。なお、シャドーＳＤ側の場合には、低周波成分が最も弱い（最も値が小さい）位置にある新たな閾値ｔｈ’＿ｓｄによるドットから画素を削除するようにすればよい。
【００９９】
図９Ａは、このようにして作成したこの実施形態にかかる、最小サイズのドットが２×２画素ドットで、網パーセントが３０％のドットパターン１２０を示している。図９Ｃは、従来技術に係る１画素ドットＦＭスクリーンのドットパターン１２２を示している。
【０１００】
ドットパターン１２０、１２２に視覚特性フィルタ４２をＬＰＦ４０としてかけたものの濃淡を強調したパターンを図９Ｂ、図９Ｄに濃淡パターン１２４、１２６として示す。また、この濃淡パターン１２４、１２６を鳥瞰図で表したパターンを図１０Ａ、図１０Ｂに鳥瞰パターン１２８、１３０として示す。この鳥瞰図において、縦軸は白が０、黒を１．０として網パーセント３０を０．３としている。横軸は、画素である。結果として、この実施形態に係る図９Ａのドットパターン１２０は、従来技術に係る図９Ｃのドットパターン１２２に比較して、濃淡のばらつきが抑制された、振幅の小さいパターンとなることが分かる。
【０１０１】
なお、上記ステップＳ１５あるいはステップＳ１６において、閾値候補ｔｈ’＿ｈｌを設定する際、特開２００２−３６８９９５号公報（特許文献２）に示されているように、ＩＦＦＴ器３６によりＩＦＦＴをかけて空間領域上の低周波成分が得られたとき、さらにＦＦＴ器３２によりＦＦＴをかけて、特定周波数成分抽出器４４により周波数成分の強度の高い順に、特定周波数成分を抽出し、抽出した特定周波数成分を周波数成分の強度の高い順に、ＩＦＦＴをかけて、空間領域上の画像とし、これら複数の画像を、いずれも強めない位置のうち、最も強度成分の弱い位置を閾値候補ｔｈ’あるいは閾値候補ｔｈ’＿ｈｌとして設定することもできる。
【０１０２】
以上のステップＳ１２〜Ｓ１６の処理により、ドットパターン上、新たにドットが付けられた位置に対応する閾値マトリクスＴＭ上に、所定数の閾値ｔｈを設定することができる。
【０１０３】
次いで、ステップＳ１７により、決定された閾値ｔｈにより作成されるドットパターンの最適化処理を行う。このドットパターンの最適化処理は、上記のステップＳ１６までの処理により、高品質のドットパターンが作成されている場合には、不要な処理となる。
【０１０４】
このドットパターンの最適化処理は、特許３４００３１６号公報（特許文献２）に開示された技術及び特開２００２−３６９００５号公報（特許文献５）に開示された技術のいずれか一方あるいは両方の技術を用いることができる。
【０１０５】
すなわち、特許３４００３１６号公報に開示された技術によれば、閾値ｔｈ＿ｈｌにより作成されるドットパターンに対し、上述したように、低周波成分を抽出し、抽出した低周波成分中、強度の最も強い位置にある画素を白抜けとし、強度の最も弱い位置にある画素を黒化画素とするように交換することで、低周波成分の強度を低減する処理である。ここで、黒化画素は、ドットの周囲に付く画素（ドットの周囲に接する画素）でなければならず、その画素の閾値ｔｈは、そのドットの閾値ｔｈに等しい値とされる。
【０１０６】
また、特開２００２−３６９００５号公報に開示された技術によれば、閾値ｔｈにより作成されるドットパターンに対し、前記した、特開２００２−３６８９９５号公報（特許文献２）と同様に、閾値ｔｈにより作成されるドットパターンに対し、ＦＦＴをかけた後、視覚特性フィルタ４２及びＬＰＦ４０をかけ、さらにＩＦＦＴをかけて空間領域上の低周波成分が得られたとき、さらにまたＦＦＴをかけて、周波数成分の強度の高い順に、特定周波数成分を抽出し、抽出した特定周波数成分を周波数成分の強度の高い順に、ＩＦＦＴをかけて、空間領域上の画像とし、これら複数の画像を、いずれも強めない位置のうち、最も強度成分の弱い位置の画素と、最も強度成分の強い位置の画素を抽出して交換することで、低周波成分の強度を低減する処理である。この場合にも、抽出した画素は、ドットの周囲に付く画素でなければならず、その画素の閾値ｔｈは、そのドットの閾値ｔｈに等しい値とされる。
【０１０７】
なお、ステップＳ１４〜ステップＳ１７における低周波成分抽出処理においては、特開２００２−３６９００５号公報（特許文献）に開示しているように、ドットパターンに対応する画像出力装置から出力されるドットパターンに対応する濃度画像を濃度画像シミュレーション部（予測部）４６により予測計算し（シミュレーションし）、この濃度画像の低周波成分を抽出するようにしてもよい。この場合、濃度画像シミュレーション部４６は、実際に、出力システム２２からテストパターンを出力し、元のドットパターンの１ドットが、テストパターンの濃淡画像上でどのように出力されるのかを測定することで、実際の濃度像に近い濃度画像での網パーセントをドットパターンから計算することができる。
【０１０８】
濃度画像は、出力システム２２で使用されるレーザ光のビーム形状から露光量を積算計算し、印刷版材ＥＭの感光材料のガンマ特性から濃度像を予測することができる。
【０１０９】
計算により濃度像を予測することを詳しく説明すると、まず、フイルムＦ上等の記録媒体上に１×１画素ドット、２×２画素ドット、…を形成するためのレーザビームのコンピュータ計算用のシミュレーション形状を決めておく。レーザビームは、ガウス分布に近い形状を有しており、振幅値の最大値１／ｅ2で規定されるビーム径で略表現できる形状である。このレーザビームとドットパターンとから各ドット毎の露光量を算出する。
【０１１０】
次いで、算出した１×１画素ドット、２×２画素ドット、…等、各ドット毎の露光量を、フイルム等の感光材料における露光特性、いわゆるガンマ特性を利用して、各ドットの濃度に変換する。このようにして求めた各ドットの濃度から、濃度画像（濃度シミュレーション画像）を得る。この濃度画像から上述したＦＦＴを使用する手順により低周波成分を抽出することができる。実際上、ドットパターンより低周波成分を抽出するより、濃度画像より低周波成分を抽出した方が、ノイズ成分を除去するためにより効果的な低周波成分を抽出できる場合が多い。
【０１１１】
このようにして閾値マトリクス中の閾値ｔｈ＿ｈｌの位置が決定される。
【０１１２】
次いで、ステップＳ１８において、新たに設定される閾値ｔｈ＿ｈｌが、次階調の閾値ｔｈ＿ｈｌ＋１に設定される（ｔｈ＿ｈｌ＝ｔｈ＿ｈｌ＋１）。
【０１１３】
同様にして、ステップＳ２２〜ステップＳ２８において、シャドーＳＤ側の閾値ｔｈ＿ｓｄを決定する。
【０１１４】
そして、ステップＳ２９において、ハイライトＨＬ側から決定してきた閾値ｔｈ＿ｈｌとシャドーＳＤ側から決定してきた閾値ｔｈ＿ｓｄの大きさを比較し、同一の値、すなわち網パーセント５０％となるまで、閾値ｔｈ＿ｈｌと閾値ｔｈ＿ｓｄを決定し、同一の値となったときに閾値マトリクスの作成が終了する。
【０１１５】
図１１Ａ〜図１１Ｆは、このようにして作成された閾値マトリクスＴＭを対応する網パーセントを有するグレイパターンの連続調画像データと比較器１６により比較することで最終的にドットパターン発生器１８により発生された網パーセント１０％、２０％、３０％、４０％、５０％、７０％のドットパターンの一部分のドットパターン１３１〜１３５及び１３７を示している。
【０１１６】
７０％のドットパターン１３７は、３０％のドットパターン１３３の白黒を逆転させたパターンとしてもよく、独立に作成したパターンとしてもよい。
【０１１７】
この図１１Ａ〜図１１Ｆは、図４のグラフ中、一点鎖線の曲線で表される新規ドット数累積特性ｎｂを選択して作成されたものであって、網パーセント１０％のドットパターン１３１までは、最小サイズのドットの２×２画素ドットのみでドットパターン１３１が作成されている。網パーセント２０％のドットパターン１３２では、最小サイズのドットの２×２画素ドットを設定する割合が減少し、既存のドット（２×２画素ドット）の周りに網パーセントに対応する分の画素が付けられている（４〜１２画素ドットが存在している。）。網パーセント２５％〜３０％では、最小サイズのドットの新規の割当を行わず、既存のドットに画素を付けて黒化率を上げている。３５％位から最小サイズのドットの新規割当を増やしているが、近接したドットを強制的に接続させる働きがあるので、ドット同士の接点を分散させることができる。このように設定することにより階調再現の滑らかなドットパターンを発生させることの可能な閾値マトリクスＴＭを作成できた。
【０１１８】
このように、上述した実施形態によれば、最小サイズのドットの構成画素数を決定するとともに、ドットパターンの中間調でのパターン周波数ｒを決定し（ステップＳ１）、さらにパターン周波数ｒに基づき、ドットの候補位置を決定する（ステップＳ２）。次いで、ドットパターンが定まった網パーセントに対して今回の網パーセントにおける最小サイズの新規ドット数Ｄｃを設定する（ステップＳ３）。そして、この最小サイズのドットの新規ドット数Ｄｃと中間調のパターン周波数ｒの制限下に、各網パーセントにおいて最適ドットパターンが生成されるような閾値ｔｈを順次設定する（ステップＳ４）ことで、出力システム２２に最適な閾値マトリクスＴＭを作成することができる。出力システム２２に最適な閾値マトリクスＴＭとは、例えばハイライト側では確実にドットがつき、中間調ではざらつきが低減されかつドットゲインの少ない画像を発生させることができる閾値マトリクスＴＭを意味する。
【０１１９】
また、上述した実施形態によれば、連続調画像を２値画像であるドットパターンに変換するＮ×Ｍ（Ｎ＝Ｍも含む。）マトリクスサイズの閾値マトリクスＴＭにおいて、該閾値マトリクスＴＭが、出力システム２２の出力解像度がＲ［画素／ｍｍ］であって、各画素値が網パーセントＰの５０［％］に対応する値を有する連続調画像データＩを２値データＨにして生成されるドットパターンデータＨａのパターン周波数がｒ［ｃ／ｍｍ］であるとき、網パーセントＰがＰ＝０［％］からパターン周波数ｒに対応するドットの数がＮ×Ｍ／（Ｒ／ｒ）2［個］近傍になるまで、ｎ（ｎは少なくとも１）個の画素からなる最小サイズのドットが相互に接しないように付けられたドットパターンデータＨａが作成され、最小サイズのドットの数がＮ×Ｍ／（Ｒ／ｒ）2近傍になった領域以降の網パーセントＰでは、既存の最小サイズのドットの周囲に画素を付けてドットの数を増加させないドットパターンデータＨａを作成する閾値配列を有するようにしている。
【０１２０】
この場合、閾値マトリクスＴＭは、ドットの数がＮ×Ｍ／（Ｒ／ｒ）2近傍になった領域以降の網パーセントＰでは、最小サイズの既存のドットの周囲に画素を付けてドットの面積を調整する。
【０１２１】
以上の説明が、この出願に用いられる閾値マトリクスの一例の作成方法についての説明である。この出願に用いられる閾値マトリクスの作成方法は、このような方式に限定されることなく、一般的に用いられるＦＭスクリーンあるいはストキャスティックスクリーンを発生する閾値マトリクスに対しても適用できる。以下、作成した閾値マトリクスの割当方法について説明する。
【０１２２】
なお、上記の説明では、１版について説明しているが、カラー画像を再現する場合には、分版されたＣＭＹＫ色による４色印刷の他、分版されたＣＭＹＫ色にＲＧＢ色を加えた７色印刷や、ＣＭＹＫ色＋Ｇ色＋オレンジ色の６色印刷等が行われている。この場合、Ｊ（Ｊ≧５）色に対して、Ｊ個の閾値マトリクスサイズの異なる閾値マトリクスを作成してもよい。
【０１２３】
また、閾値マトリクスは同一サイズであるが、閾値配列の異なるＪ個の閾値マトリクスを作成してもよい。
【０１２４】
ただし、Ｊ（Ｊ≧５）版分の閾値マトリクスを全て作成することはかなりの作業負荷となることと、通常ＣＭＹＫ４版のそれぞれに対応した４つの閾値マトリクスを取り扱うＲＩＰシステム等では、Ｊ版分の閾値マトリクスをハンドリングすることが困難な場合が多いので、以下の実施形態に示すように、マンセルの色相環を参照して、簡易に閾値マトリクスを作成乃至割り当てることを説明する。
【０１２５】
第１の割当方法（色相環上、主に、隣り合う色相を考慮して割り当てる方法）
【０１２６】
例えば、ＣＭＹＫＲＧＢ各版の７色印刷を考える。図１２Ａ、図１２Ｂ、図１２Ｃは、色相環ＨＣの構成を示している。
【０１２７】
色相環ＨＣは、図１２Ａ〜図１２Ｃからも分かるように、基本的には、Ｒ（赤）、Ｙ（黄）、Ｇ（緑）、Ｂ（青）、Ｐ（紫）の５つの色を基本色相とし、これらの基本色相を１つの円（色相環）の円周上に円を５等分するように配列する。次に、その５つの基本色相の中間に、ＹＲ（Yellow  Red：オレンジＯ）、ＧＹ（Green  Yellow）、ＢＧ（Blue  Green：シアンＣ）、ＰＢ（Purple  Blue）、ＲＰ（Red  Purple：マゼンタＭ）なる色を配置した構成となっている。
【０１２８】
図１２Ａにおいて、例えば、Ｃ色とＧ色とＫ色の境界線で囲まれるハッチングで示す略扇形の領域３０２での色成分は、Ｃ色版とＧ色版とＫ色版の混合で生成することができる。そこで、これらＣＧＫ各版には、重ね合わされるドットの僅かなずれによる不具合を未然に解消するために、異なる閾値マトリクスを割り当てる必要があるが、これらＣＧＫ版用の閾値配列の異なる閾値マトリクスを、ＴＭＸ１、ＴＭＸ２、ＴＭＸ３とし、以下のように表す。
（Ｃ，Ｇ，Ｋ）＝（ＴＭＸ１，ＴＭＸ２，ＴＭＸ３）
【０１２９】
次に、図１２Ｂに示すように、その右隣りの色再現領域である、Ｇ色とＹ色とＫ色の境界線で囲まれるハッチングで示す略扇形の領域３０４での色成分は、Ｙ色版とＧ色版とＫ色版の混合で生成することができるが、これらＧＹＫ各版にも、異なる閾値マトリクスを割り当てる必要がある。この場合、Ｇ色版には、既に閾値マトリクスＴＭＸ２が割り当てられ、Ｋ色版には閾値マトリクスＴＭＸ３が割当られているので、Ｙ色版には、ＧＫ色版とは閾値配列の異なる、Ｃ色版で割り当てた閾値マトリクスＴＭＸ１と同じ閾値マトリクスＴＭＸ１を割り当てればよい。
（Ｙ，Ｇ，Ｋ）＝（ＴＭＸ１，ＴＭＸ２，ＴＭＸ３）
【０１３０】
以下、同様に考えると、ＣＭＹＫＲＧＢ各版の閾値マトリクスは、以下のように、閾値配列の異なる３個の閾値マトリクスＴＭＸ１、ＴＭＸ２、ＴＭＸ３を用いて割り当てればよいことが分かる（図１２Ｃ参照）。
（Ｃ，Ｍ，Ｙ，Ｋ，Ｒ，Ｇ，Ｂ）＝
（ＴＭＸ１，ＴＭＸ１，ＴＭＸ１，ＴＭＸ３，ＴＭＸ２，ＴＭＸ２，ＴＭＸ２）
【０１３１】
このように上記した閾値マトリクスの第１の割当方法によれば、ＣＭＹＫ各版を含み、色版が少なくともＪ（Ｊ≧５）色版に分版された連続階調の画像データを、それぞれ閾値マトリクスを用いてＪ色版の、線数・角度の規定のないドットパターン画像データに変換する際の前記閾値マトリクスの割当方法において、Ｋ版に、ある閾値配列の閾値マトリクス（Ｋ版用閾値マトリクスという。）ＴＭＸ３を割り当て、Ｋ版を除く前記Ｊ色版中の任意の１色版、ここではＣ色版に他の閾値配列の閾値マトリクス（任意の１色版用閾値マトリクス）ＴＭＸ１を割り当て、前記任意の１色版の色相（Ｃ色）を色相環上にプロットしたとき、この色相に隣り合う色相の色版、この場合、Ｇ色版とＢ色版については、前記Ｋ版用閾値マトリクスＴＭＸ３及び前記任意の１色版用閾値マトリクスＴＭＸ１以外の閾値マトリクスＴＭＸ２を割り当て、かつ、前記Ｊ色版分で割り当てる閾値マトリクスの数を最小に選択する。
【０１３２】
すなわち、色相環ＨＣ上でＫ色と、Ｋ色を除く任意の１色と、この任意の１色に隣り合う色とで、それぞれ異なる閾値マトリクスＴＭＸ１，ＴＭＸ２、ＴＭＸ３を割り当てることで、色相環ＨＣにおいて、Ｋ色、Ｋ色を除く任意の１色、及びこの任意の１色に隣り合う色で形成される略扇形内の色成分は、通常、この３色の混合で再現することができる。この混合される３色に閾値配列の異なる閾値マトリクスを使用することで、ドットの過度の重複が回避され、画像の重ね合わせを原因とする不具合が発生しないようになる。
【０１３３】
また、このように閾値マトリクスを割り当てる際に、隣り合う色版の閾値マトリクスが同一ではないという条件を満足する範囲で、閾値マトリクスの数を最小に選択するようにすることで、閾値マトリクスの作成作業の負荷を低減することができる。
【０１３４】
この場合、例えば、Ｊ色版が、ＣＭＹＫＲＧＢ各版であるとき、図１２Ｃに示したように、Ｋ版を除き、色相環ＨＣ上では、ＣＧＹＲＭＢの隣り合う関係でプロットされるので、プロットされた色相環ＨＣ上で相互に隣り合わないＣＹＭ各版中の１色に任意の１色版用閾値マトリクス、例えば閾値マトリクスＴＭＸ１を割り当てたとき、プロットされた色相環ＨＣ上で相互に隣り合わないＧＲＢ各版では、Ｋ版用閾値マトリクスＴＭＸ３及び任意の１色版用閾値マトリクスＴＭＸ１以外の閾値マトリクスＴＭＸ２を割り当てるようにすることで、ＣＭＹＫＲＧＢ各版では、閾値配列の異なる３個の閾値マトリクスＴＭＸ１、ＴＭＸ２、ＴＭＸ３を用いればよいこととなり、閾値マトリクスの総数が色版数より少なくなるので閾値マトリクスの作成作業の負荷を低減することができる。
【０１３５】
なお、Ｊ（Ｊ≧５）色版に分版されて入力される階調値ｍの連続階調の画像データを、異なる閾値配列のＣＭＹＫ各版用の閾値マトリクスＴＭＸｃ、ＴＭＸｍ、ＴＭＸｙ、ＴＭＸｋを用いてＪ色版の、線数・角度の規定のないｖ値のドットパターン画像データに変換する際に、ＣＭＹＫ各色以外の他の色版の色相を色相環上にプロットしたとき、この色相用の閾値マトリクスとして、ＣＭＹ各版用の閾値マトリクスＴＭＸｃ、ＴＭＸｍ、ＴＭＸｙ中、色相環上で、この色相（ＣＭＹＫ各色以外の色相）に隣り合わない色版用の閾値マトリクス（ＴＭＸｃ、ＴＭＸｍ、ＴＭＸｙのいずれか）を割り当てるようにすることで、５色以上の色版でカラー画像を再現する際の多色分解版を作成するときに用いる閾値マトリクスの個数を、ＣＭＹＫ各版用閾値マトリクスＴＭＸｃ、ＴＭＸｍ、ＴＭＸｙ、ＴＭＸｋの計４版に限定できる場合が多くなるので、少ない作業負荷で、画像の重ね合わせの際に不具合の発生しない閾値マトリクスを作成乃至割り当てることができる。
【０１３６】
第２の割当方法（色相環上、補色関係にある色相には、閾値配列が同一の閾値マトリクスを割り当てる方法）
【０１３７】
例えば、ＣＭＹＫＲＧＢ各版の７色印刷を考える。図１３に示す色相環ＨＣを参照して考慮すると、実際にＧ色付近の色相の色のグラデーションを滑らかに再現するには、Ｃ色とＹ色を混合した方が好ましい。したがって、第１の割当方法では、Ｃ色版とＹ色版とで同じ閾値マトリクスＴＭＸ１を割り当てたが、異なる閾値マトリクスである方がより好ましい。すなわち、Ｃ色版とＹ色版では、異なる閾値配列の閾値マトリクスＴＭＸを用いることが好ましい。
【０１３８】
このとき、ＣＭＹＫ各色を４色再現する場合には、通常の場合、それぞれ異なる閾値配列の閾値マトリクスＴＭＸｃ、ＴＭＸｍ、ＴＭＸｙ、ＴＭＸｋが用意されているので、ＣＭＹＫそれぞれの色版には、この閾値マトリクスＴＭＸｃ、ＴＭＸｍ、ＴＭＸｙ、ＴＭＸｋを割り当てればよい。
（Ｃ，Ｍ，Ｙ，Ｋ）＝（ＴＭＸｃ，ＴＭＸｍ，ＴＭＸｙ，ＴＭＸｋ）
【０１３９】
このとき、図１３の色相環ＨＣを参照すれば、Ｃ色とＹ色とＫ色で囲まれた領域に存在するＧ色では、これらＣＹＫ色の閾値マトリクスＴＭＸｃ、ＴＭＸｙ、ＴＭＸｋとは、異なる閾値配列の閾値マトリクスを用いる必要がある。この場合、Ｇ色版用としては、既にＭ色版用として割り当てている閾値マトリクスＴＭＸｍを割り当てればよいことが分かる。
【０１４０】
このように考えると、ＣＭＹＫＲＧＢ各版に対して、以下に示すように、ＣＭＹＫ各版用の閾値マトリクスを割り当てればよいことが分かる。
（Ｃ，Ｍ，Ｙ，Ｋ，Ｒ，Ｇ，Ｂ）＝
（ＴＭＸｃ，ＴＭＸｍ，ＴＭＸｙ，ＴＭＸｋ，ＴＭＸｃ，ＴＭＸｍ，ＴＭＸｙ）
【０１４１】
これは、それぞれ、Ｃ色の補色のＲ色に対しては、Ｃ版用閾値マトリクスＴＭＸｃを割り当て、Ｍ色の補色のＧ色に対しては、Ｍ版用閾値マトリクスＴＭＸｍを割り当て、Ｙ色の補色のＢ色に対しては、Ｙ色版用閾値マトリクスＴＭＸｙを割り当てていることになる。
【０１４２】
次に、ＣＭＹＫＯＧ各版の６色印刷を考える。
【０１４３】
図１４に示す色相関ＨＣを参照して考慮すると、ＣＭＹＫ各色に対して、それぞれ異なる閾値配列のＣＭＹＫ各版用の閾値マトリクスＴＭＸｃ、ＴＭＸｍ、ＴＭＸｙ、ＴＭＸｋを割り当てたとき、Ｃ色の略補色にあたるＯ色（Ｃ色から色相環上で離れているＯ色）に対しては、Ｃ版用閾値マトリクスＴＭＸｃを割り当て、Ｍ色の補色にあたるＧ色に対してはＭ色版用閾値マトリクスＴＭＸｍを割り当てればよいことが分かる。すなわち、ＣＭＹＫＯＧ各版に対して、以下に示すようにＣＭＹＫ各版用の閾値マトリクスが割り当てられる。
（Ｃ，Ｍ，Ｙ，Ｋ，Ｏ，Ｇ）＝
（ＴＭＸｃ，ＴＭＸｍ，ＴＭＸｙ，ＴＭＸｋ，ＴＭＸｃ，ＴＭＸｍ）
【０１４４】
このように上記した第２の割り当て方法によれば、ＣＭＹＫ各版を含み、色版が少なくともＪ（Ｊ≧５）色版に分版された連続階調の画像データを、それぞれＣＭＹＫ各版用の閾値マトリクスＴＭＸｃ、ＴＭＸｍ、ＴＭＸｙ、ＴＭＸｋを用いてＪ色版の、線数・角度の規定のないドットパターン画像データに変換する際の前記閾値マトリクスの割当方法において、Ｋ版に、ある閾値配列の閾値マトリクス（Ｋ版用閾値マトリクスという。）ＴＭＸｋを割り当て、Ｋ版を除く前記Ｊ版中、相互に補色の関係にある色版については、同じ閾値配列の閾値マトリクスを割り当てている。
【０１４５】
補色関係にある色版について同じ閾値配列の閾値マトリクスを用いても、補色関係にある色版については、色が混合されると灰色になってしまうことから、色が混合されることがきわめて希であるので、スクリーンの位置ずれがあってもドットの重なりが少ないことを原因とする色再現の安定性の低下やむらが発生することがない。また、閾値マトリクスの総数が色版数より少なくなるので閾値マトリクスの作成を少ない作業負荷で行うことができる。
【０１４６】
この場合、例えば、前記Ｊ色版が、ＣＭＹＫＲＧＢ各版であるとき、図１３に示したように、ＣＭＹＫ各版には、それぞれＣＭＹＫ各版用の異なる閾値マトリクスＴＭＸｃ、ＴＭＸｍ、ＴＭＸｙ、ＴＭＸｋを割り当て、色相環ＨＣ上では、ＣＧＹＲＭＢの隣り合う関係でプロットされるので、Ｇ版に対しては補色の関係にあるＭ版用閾値マトリクスＴＭＸｍを割り当て、Ｒ版に対しては補色の関係にあるＣ版用閾値マトリクスＴＭＸｃを割り当て、Ｂ版に対しては補色の関係にあるＹ版用閾値マトリクスＴＭＸｙを割り当てるようにすることで、ＣＭＹＫＲＧＢ各版では、閾値配列の異なるＣＭＹＫ各版用閾値マトリクスＴＭＸｃ、ＴＭＸｍ、ＴＭＸｙ、ＴＭＸｋを用いればよいこととなり、閾値マトリクスの総数が、色版数より少なくなるので、閾値マトリクスの作成作業の負荷を低減することができる。このようにすれば、通常ＣＭＹＫ４版のそれぞれに対応した４つの閾値マトリクスを取り扱うＲＩＰシステム等においても、ＣＭＹＫＲＧＢ各版の閾値マトリクスをハンドリングすることができる。
【０１４７】
また、例えば、前記Ｊ色版が、ＣＭＹＫＯＧ各版であるとき、ＣＭＹＫ各版には、それぞれＣＭＹＫ各版用の異なる閾値マトリクスＴＭＸｃ、ＴＭＸｍ、ＴＭＸｙ、ＴＭＸｋを割り当て、色相環ＨＣ上では、ＣＧＹＯＭの隣り合う関係でプロットされるので、Ｇ版に対しては補色の関係にあるＭ版用閾値マトリクスＴＭＸｍを割り当て、Ｏ版に対しては補色の関係にあるＣ版用閾値マトリクスＴＭＸｃを割り当てるようにすることで、ＣＭＹＫＯＧ各版では、閾値配列の異なるＣＭＹＫ各版用閾値マトリクスＴＭＸｃ、ＴＭＸｍ、ＴＭＸｙ、ＴＭＸｋを用いればよいこととなり、同様に、閾値マトリクスの総数が、色版数より少なくなるので閾値マトリクス作成作業の負荷を低減することができる。このようにすれば、通常ＣＭＹＫ４版のそれぞれに対応した４つの閾値マトリクスを取り扱うＲＩＰシステム等においても、ＣＭＹＫＯＧ各版の閾値マトリクスをハンドリングすることができる。
【０１４８】
上記した第１及び第２の割当方法において、ある特定の色版用の閾値マトリクスに対して、他の色版用の閾値マトリクスを、ある特定の色版用の閾値マトリクスに配列された閾値の読出方法を変更して作成するようにすることで、ある特定の色版用の閾値マトリクスの閾値配列を変更することが可能となり、このようにして作成された閾値マトリクスは、最初から閾値マトリクスを作成する作業に比較して異なる閾値配列を有する閾値マトリクスの作成作業時間を大幅に低減することができる。
【０１４９】
この閾値の読出方法を変更して他の閾値マトリクスを作成する技術は、特開２００４−６４４７３号公報に開示している。
【０１５０】
具体的には、図１５にその模式例を転載して示すように、ＦＭスクリーン用のある特定の色版用の閾値マトリクスＴＭｏｒｇ（閾値サイズが、１０×１０）が作成されているとき、図１６に示すように、４個並べて考えれば、ｘ軸（列）とｙ軸（列）の閾値の読出開始アドレス（読出開始位置）Ｒｓ（ｘ，ｙ）を、Ｒｓ（１，１）からＲｓ（５，４）に変更することで、容易に、図１７に示す閾値配列に変更された閾値マトリクスＴｏｔｈｅｒを作成することができる。
【０１５１】
なお、読出方法の変更とは、このように読出開始アドレスを変更する以外に、読出方向を左から右ではなく右から左に変更して再配列すること、また、読み出した閾値配列を９０度等の所定角度回転させた閾値配列とする等、種々の変更方法を採りうることができる。
【０１５２】
また、上記した第１及び第２の割当方法において、ＣＭＹＫ各版用の閾値マトリクスのサイズを、それぞれ異なるサイズとすることで、ドットパターン上での不要な周期パターンの発生をより抑制することができる。
【０１５３】
すなわち、図１８に示すように、閾値マトリクスＴＭＸは、出力システム２２（図１参照）から出力される刷版ＰＰ等上に形成される出力画素数Ｎ画素分に応じて、並べて、スーパー閾値マトリクスＳＴＭＸａとして使用に供されるが、ＣＭＹＫ各版で異なる閾値配列の閾値マトリクスを用いたとしても、閾値マトリクスＴＭＸの閾値サイズが同一である場合には、各版毎に多少は存在する閾値サイズ単位の繰り返し性が、ＣＭＹＫ４版重なることによって強調されてしまう。
【０１５４】
そこで、図１９に示すように、閾値サイズの異なるＣＭＹＫ各版の閾値マトリクスを、符号ＴＸ１〜ＴＸ４で表すとき（ＣＭＹＫとＴＸ１、ＴＸ２、ＴＸ３、ＴＸ４との対応関係は任意）各閾値マトリクスＴＸ１〜ＴＸ４の閾値サイズを、それぞれ異なるサイズのＮ１×Ｎ１（実線で表示）、Ｎ２×Ｎ２（点線で表示）、Ｎ３×Ｎ３（一点鎖線で表示）、Ｎ４×Ｎ４（二点鎖線で表示）とする（Ｎ２＜Ｎ１＜Ｎ４＜Ｎ３）。なお、閾値サイズＮ１×Ｎ１等は、Ｎ１×Ｎ１の画素数と同数の閾値数を表している。
【０１５５】
この場合、図２０に示すように、ＣＭＹＫ各版で閾値マトリクスＴＸ１〜ＴＸ４を並べて、スーパー閾値マトリクスＳＴＭＸｂとして使用に供される。このように、ＣＭＹＫ各版で閾値サイズの異なる閾値マトリクスＴＸ１〜ＴＸ４を用いることで、各閾値マトリクスＴＸ１〜ＴＸ４単位では周期性を持っているとしても、ＣＭＹＫ各版毎に閾値サイズＮ×Ｎが異なるので、４版重ねた場合であっても周期性が強調されることがない。なお、ＣＭＹＫ各版の閾値サイズＮ×Ｎは、全てが異なることが好ましいが、必ずしも全ての閾値サイズＮ×Ｎが異なる必要はない。
【０１５６】
閾値サイズＮ×ＮのＮ（このＮも、便宜的に閾値サイズという。）は、８、１６、３２、６４等の倍数であれば、演算処理の高速化が容易である。例えば、閾値サイズ（Ｎ１，Ｎ２，Ｎ３，Ｎ４）＝（１２８，１４４，１６０，１７６）、（１２８，１６０，１９２，２２４）、（２５６，３２０，３８４，４４８）、（５１２，５７６，６４０，７０４）、…と決定することができる。
【０１５７】
上記のようにして作成され割り当てられた閾値マトリクスは、例えば、以下に示すよう使用に供される。
【０１５８】
図２１は、閾値マトリクス作成システム１０（図１参照）を構成する閾値マトリクス作成装置２０により作成された閾値マトリクスＴＭが使用される例としての印刷・製版システム２００を示している。
【０１５９】
この印刷・製版システム２００では、撮像装置としてのデジタルカメラ２０２により取り込まれたＲＧＢ画像データあるいはスキャナ（画像読取装置）としての製版入力機２０４により取り込まれたＲＧＢ画像データ（又はＣＭＹＫ画像データ）が、ＲＩＰ（ラスタイメージプロセッサ）２０６に供給され、ＲＧＢ画像データは、一旦ＣＭＹＫ画像データに変換される。
【０１６０】
この場合、ＲＩＰ２０６には、閾値マトリクス作成装置２０により作成された閾値マトリクスＴＭのデータ（閾値マトリクスデータ）がＣＤ−Ｒ等の記録媒体（記憶ユニット）としての光ディスク２０８を通じて、あるいは通信により、ＲＩＰ２０６のハードディスク等の記憶ユニットに予め格納されている。
【０１６１】
ＲＩＰ２０６は、それぞれが階調ｕ値（例えばｕ＝２５６）の連続階調の画像データであるＣＭＹＫ各画像データと、対応するＣＭＹＫ各閾値マトリクスデータを比較して、線数・角度の規定のないｖ値（２≦ｖ＜ｕ）画像を表すＣＭＹＫ各ドットパターンデータ（ＣＭＹＫ各ｖ値画像データ）に変換する。
【０１６２】
ＣＭＹＫ各ドットパターンデータは、いわゆるＤＤＣＰ（実網プルーファともいう。）２１０に送られて、紙上に印刷プルーフＰＲａが作成される。このＤＤＣＰ２１０により、印刷機２２０にかける前に、ノイズ成分の混入の有無、印刷品質が確認される。この場合には、紙として印刷用紙自体が使用される場合がある。
【０１６３】
また、ＲＩＰ２０６からカラーインクジェットプリンタ２０ｃ１あるいはカラー電子写真プリンタ２０ｃ２にＣＭＹＫドットパターンデータが送られて、簡易的に紙上に印刷プルーフＰＲｂ、ＰＲｃを作成することができる。
【０１６４】
さらにＣＭＹＫ各ドットパターンデータは、ＣＴＣ装置等の出力システム２２を構成する、フイルムセッターあるいはプレートセッターである露光ユニット２６に送られる。露光ユニット２６がフイルムセッターである場合には、自動現像機２８を介してフイルムＦが作成され、このフイルムＦが刷版用の印刷版材と重ねられ、図示しない面露光装置で露光されることで刷版ＰＰが作成される。また、露光ユニット２６が図１に示したようにプレートセッターである場合には、自動現像機２８を通じて刷版ＰＰが直接出力される。なお、露光ユニット２６に対して感光材料（印刷版材含む）のマガジン２１２から印刷版材ＥＭ等が供給される。
【０１６５】
ＣＭＹＫの各刷版ＰＰは、印刷機２２０を構成するＫ版印刷部２１４Ｋ、Ｃ版印刷部２１４Ｃ、Ｍ版印刷部２１４Ｍ、Ｙ版印刷部２１４Ｙの図示していない版胴に装着される。印刷用紙供給部２１６から供給される印刷用紙に対して、Ｋ版印刷部２１４Ｋ、Ｃ版印刷部２１４Ｃ、Ｍ版印刷部２１４Ｍ、Ｙ版印刷部２１４Ｙで重ね刷りされることで、カラー画像が再現された印刷物ＰＭが得られる。なお、印刷機２２０が、ＣＴＣ装置構成である場合には、ＲＩＰ２０６からＣＭＹＫ各ドットパターンデータが直接通信により供給され、版胴に巻かれている印刷版材が露光記録・現像され、直接、刷版ＰＰとされる。
【図面の簡単な説明】
【０１６６】
【図１】この発明の一実施形態に係る閾値マトリクスの作成方法が適用された閾値マトリクス作成システムの基本的な構成図である。
【図２】図１例のシステムによる閾値マトリクスの作成方法の説明に供される全体フローチャートである。
【図３】図３Ａは、１×１画素ドットにより作成された網パーセント５０％でのホワイトノイズパターンの説明図である。  図３Ｂは、ホワイトノイズパターンに対するＦＦＴ処理及び帯域フィルタ処理の説明図である。  図３Ｃは、図３Ｂの周波数領域画像をＩＦＦＴ処理した空間領域画像に変換した説明図である。  図３Ｄは、図３Ｃの空間領域画像の２値化画像の説明図である。
【図４】網パーセントに対するドット数の説明図である。
【図５】図５Ａは、小ドットの周囲長の説明に供される説明図である。  図５Ｂは、図５Ａと同一網パーセントの大ドットの周囲長の説明に供される説明図である。
【図６】図２に示す全体フローチャート中、ステップＳ４の閾値の配置位置決定の説明に供される詳細フローチャートである。
【図７】次階調の閾値位置決定処理の説明図である。
【図８】図８Ａは、閾値候補位置の説明図である。  図８Ｂは、閾値候補位置に最小サイズのドットを配置した説明図である。
【図９】図９Ａは、最小サイズのドットが２×２画素ドットで、網パーセントが３０％のドットパターンを示している。  図９Ｂは、図９Ａのドットパターンに視覚特性フィルタをかけ、さらにＬＰＦをかけたものの濃淡を強調したパターン図である。  図９Ｃは、従来技術に係る１画素ドットＦＭスクリーンのドットパターンを示している。  図９Ｄは、図９Ｃのドットパターンに視覚特性フィルタをかけ、さらにＬＰＦをかけたものの濃淡を強調したパターン図である。
【図１０】図１０Ａは、図９Ｂの濃淡パターンの鳥瞰図である。  図１０Ｂは、図９Ｄの濃淡パターンの鳥瞰図である。
【図１１】図１１Ａは、この実施形態にかかる閾値マトリクスにより生成された網パーセント１０％のドットパターンを示す図である。  図１１Ｂは、この実施形態にかかる閾値マトリクスにより生成された網パーセント２０％のドットパターンを示す図である。  図１１Ｃは、この実施形態にかかる閾値マトリクスにより生成された網パーセント３０％のドットパターンを示す図である。  図１１Ｄは、この実施形態にかかる閾値マトリクスにより生成された網パーセント４０％のドットパターンを示す図である。  図１１Ｅは、この実施形態にかかる閾値マトリクスにより生成された網パーセント５０％のドットパターンを示す図である。  図１１Ｆは、この実施形態にかかる閾値マトリクスにより生成された網パーセント７０％のドットパターンを示す図である。
【図１２】図１２Ａは、ＣＭＹＫＲＧＢ各版による７色印刷の際のＣＫＧ各版に対する閾値マトリクスの割当に供される色相環上での説明図である。  図１２Ｂは、ＣＭＹＫＲＧＢ各版による７色印刷の際のＣＹＫＧ各版に対する閾値マトリクスの割当に供される色相環上での説明図である。  図１２Ｃは、ＣＭＹＫＲＧＢ各版による７色印刷の際の閾値マトリクスの割当に供される色相環上での説明図である。
【図１３】ＣＭＹＫ各版用閾値マトリクスを、ＣＭＹＫＲＧＢ７色版用の閾値マトリクスに割り当てる際の色相環上での説明図である。
【図１４】ＣＭＹＫ各版用閾値マトリクスを、ＣＭＹＫＲＧＢ７色版用の閾値マトリクスに割り当てる際の色相環上での説明図である。
【図１５】ある色版用の原閾値マトリクスの例を示す説明図である。
【図１６】原閾値マトリクスから他の閾値マトリクスを作成する際の説明図である。
【図１７】作成された他の閾値マトリクスの例を示す説明図である。
【図１８】同一閾値サイズの閾値マトリクスを複数並べたスーパー閾値マトリクスの説明図である。
【図１９】異なる閾値サイズを有する閾値マトリクスの説明図である。
【図２０】異なる閾値サイズの閾値マトリクスを複数並べたスーパー閾値マトリクスの説明図である。
【図２１】閾値マトリクス作成装置により作成された閾値マトリクスが適用される例としての印刷・製版システムを示すブロック図である。
【図２２】従来技術に係る、２×２画素ＦＭの網パーセントが５％、５０％のドットパターンと、３×３画素ＦＭの網パーセントが５０％のドットパターンを示す説明図である。
【図２３】２×２画素ＦＭの網パーセントが５０％のドットパターンに対してＦＦＴをかけたときのパワー図である。
【図２４】３×３画素ＦＭの網パーセントが５０％のドットパターンに対してＦＦＴをかけたときのパワー図である。
【符号の説明】
【０１６７】
１０…閾値マトリクス作成システム      １２…画像データ発生器
１４…閾値マトリクス格納部            １６、３８…比較器
１８…ドットパターン発生器            ２０…閾値マトリクス作成装置
２２…出力システム                    ２６…露光ユニット
２８…自動現像機                      ３０…ホワイトノイズ発生器
３２…ＦＦＴ器                        ３４…パターン周波数帯域フィルタ
３６…ＩＦＦＴ器                      ４０…ＬＰＦ
４２…視覚特性フィルタ                ２００…印刷・製版システム
【図１】
2005286999.tif 000003
【図２】
2005286999.tif 000004
【図３】
2005286999.tif 000005
【図４】
2005286999.tif 000006
【図５】
2005286999.tif 000007
【図６】
2005286999.tif 000008
【図７】
2005286999.tif 000009
【図８】
2005286999.tif 000010
【図９】
2005286999.tif 000011
【図１０】
2005286999.tif 000012
【図１１】
2005286999.tif 000013
【図１２】
2005286999.tif 000014
【図１３】
2005286999.tif 000015
【図１４】
2005286999.tif 000016
【図１５】
2005286999.tif 000017
【図１６】
2005286999.tif 000018
【図１７】
2005286999.tif 000019
【図１８】
2005286999.tif 000020
【図１９】
2005286999.tif 000021
【図２０】
2005286999.tif 000022
【図２１】
2005286999.tif 000023
【図２２】
2005286999.tif 000024
【図２３】
2005286999.tif 000025
【図２４】
2005286999.tif 000026